(57)【要約】【課題】子供や老人などにタッセルが絡みついて、タッセルを房掛けから引き離す方向に所定値以上の荷重がタッセルに作用したときに、タッセルのリング状態を確実に解除する。【解決手段】本発明の接続具２０は、壁又は窓枠に取付けられた房掛け１１とカーテンを束ねるタッセル１２とを分離可能に接続する接続本体２３を備える。接続本体２３が弾性変形可能なリング状に形成されかつ単一の切離し部２３ａを有する。接続本体２３にこの接続本体２３から区画された紐遊挿部２４を一体的に設け、接続本体２３を房掛け１１に遊嵌し、紐遊挿部２４にタッセル１２のリング紐１２ｂを遊挿する。タッセル１２を房掛け１１から引き離す方向の所定値以上の荷重がタッセル１２に作用したときに、タッセル１２が紐遊挿部２４から離脱せずに、接続本体２３が房掛け１１から離脱する。【選択図】図３
2018164745.tif 000002
【特許請求の範囲】
【請求項１】
壁又は窓枠に取付けられた房掛けとカーテンを束ねるタッセルとを分離可能に接続する接続本体を備えた接続具であって、
前記接続本体が弾性変形可能なリング状、略Ｃ字状又は略ε字状に形成されかつ単一の切離し部を有し、
前記接続本体にこの接続本体から区画された紐遊挿部が一体的に設けられ、
前記接続本体が前記房掛けに遊嵌され、
前記紐遊挿部に前記タッセルのリング紐が遊挿され、
前記タッセルを前記房掛けから引き離す方向の所定値以上の荷重が前記タッセルに作用したときに、前記タッセルが前記紐遊挿部から離脱せずに、前記接続本体が前記房掛けから離脱するように構成されたことを特徴とする接続具。
【請求項２】
前記タッセルを前記房掛けから引き離す所定値以上の荷重が荷重調整装置により調整可能に構成され、前記荷重調整装置により前記切離し部の両端の間隔を広げる弾性力が調整可能に構成された請求項１記載の接続具。
【発明の詳細な説明】
【技術分野】
【０００１】
本発明は、壁等に取付けられた房掛けとカーテンを束ねるタッセルとを分離可能に接続する接続具に関するものである。
【背景技術】
【０００２】
従来、ロールスクリーン、ブラインド、カーテン等の日除け部材を懸架する支持枠が窓周面の壁面に配置され、日除け部材を左右又は上下に開閉するために支持枠から垂下されかつ長手方向に急激な力が加わったときに分解する着脱可能な安全具が配置された、日除け部材の操作コードが開示されている（例えば、特許文献１参照。）。
【０００３】
このように構成された日除け部材の操作コードは、操作コードの一部に安全具が介在されたので、操作コードの歩行者、特に子供や老人などへの絡みつきを防止できるようになっている。
【０００４】
一方、壁、窓枠等の固定側に取付けられた取付部と、カーテンを束ねる結束部材（タッセル）の両端に設けられた環部（リング紐）をそれぞれ両端から引抜き可能に挿入して掛止する掛止部とを備えた、カーテン用結束部材の掛止具（房掛け）が開示されている（例えば、特許文献２参照。）。この掛止具では、掛止部の一端が取付部に接離するように掛止部が取付部に回動自在に枢着され、取付部と掛止部との間に掛止部の一端が取付部に当接又は近接するように付勢する弾性部材が設けられる。
【０００５】
このように構成された掛止具では、結束部材の一方の環部を掛止部に掛止するとき、掛止部を押圧し又は引張って枢着部を中心に回転させ、掛止部の下端から環部を掛止部に挿入し、この状態で掛止部の押圧又は引張りを解除する。これにより弾性部材の付勢により掛止部の下端が取付部に係合するので、環部の不測の抜脱のおそれがなく、掛止部の下部に確実に掛止される。なお、他方の環部は掛止部の上部にその上端から離脱可能に掛止される。
【先行技術文献】
【特許文献】
【０００６】
【特許文献１】特開２００３−１８４４５６号公報（請求項１、段落［０００３］、［００１４］、図１及び図２）
【特許文献２】実願昭５６−１４６１４２号（実開昭５８−４９９９３号公報）の明細書及び図面（請求項１、第４頁第６行〜同頁第１６行、第１図〜第３図）
【発明の概要】
【発明が解決しようとする課題】
【０００７】
上記従来の特許文献１に示された日除け部材の操作コードでは、子供や老人などに操作コードが絡みついたときに、安全具が分解して操作コードのリング状態が解除されるので、上記操作コードの絡みつきを確実に解放できる。
【０００８】
一方、上記従来の特許文献２に示されたカーテン用結束部材の掛止具（房掛け）では、結束部材（タッセル）の一方の環部（リング紐）が掛止部の下部に掛止しかつ結束部材の他方の環部が掛止部の上部に掛止した状態で、子供や老人などに結束部材が絡みついて、結束具を掛止具から引き離す方向に荷重が作用したときに、この荷重の作用の仕方によっては、掛止部が枢着部を中心に回転して掛止部の下端が取付部から離れ、結束部材の一方の環部が掛止部の下部から離脱することにより、結束部材の絡みつきが解放される場合があるけれども、結束部材の絡みつきが解放されないおそれもある。
【０００９】
本発明の目的は、子供や老人などにタッセルが絡みついて、タッセルを房掛けから引き離す方向に所定値以上の荷重がタッセルに作用したときに、タッセルのリング状態を確実に解除できる、接続具を提供することにある。
【課題を解決するための手段】
【００１０】
本発明の第１の観点は、図３及び図４に示すように、壁又は窓枠に取付けられた房掛け１１とカーテンを束ねるタッセル１２とを分離可能に接続する接続本体２３を備えた接続具２０であって、接続本体２３が弾性変形可能なリング状、略Ｃ字状又は略ε字状に形成されかつ単一の切離し部２３ａを有し、接続本体２３にこの接続本体２３から区画された紐遊挿部２４が一体的に設けられ、接続本体２３が房掛け１１に遊嵌され、紐遊挿部２４にタッセル１２のリング紐１２ｂが遊挿され、タッセル１２を房掛け１１から引き離す方向の所定値以上の荷重がタッセル１２に作用したときに、タッセル１２が紐遊挿部２４から離脱せずに、接続本体２３が房掛け１１から離脱するように構成されたことを特徴とする。
【００１１】
本発明の第２の観点は、第１の観点に基づく発明であって、更に図１３〜図１６に示すように、タッセル４２を房掛け１１から引き離す所定値以上の荷重が荷重調整装置７９により調整可能に構成され、荷重調整装置７９により切離し部７３ａの両端の間隔を広げる弾性力が調整可能に構成されたことを特徴とする。
【発明の効果】
【００１２】
本発明の第１の観点の接続具では、子供や老人などにタッセルが絡みついて、タッセルを房掛けから引き離す方向の所定値以上の荷重がタッセルに作用すると、タッセルが紐遊挿部から離脱せずに、接続本体の切離し部の両端が房掛けの外周面に沿って互いに離れる方向に弾性変形し、接続本体が房掛けから離脱するので、接続具がタッセルとともに房掛けから外れる。この結果、タッセルのリング状態を確実に解除できるので、子供や老人などをタッセルの絡みつきから速やかに解放できる。また接続具がタッセルとともに房掛けから外れて、接続具が房掛けから離れると、接続具の切離し部の両端が接続本体の弾性力により互いに近付いてリング状、略Ｃ字状又は略ε字状に復帰するので、接続具を何回でも繰返し使用できる。
【００１３】
本発明の第２の観点の接続具では、タッセルを房掛けから引き離す所定値以上の荷重を荷重調整装置により調整可能に構成したので、上記荷重を所望の値に変更できる。
【図面の簡単な説明】
【００１４】
【図１】参考の形態の接続具を介して房掛けに接続されたタッセルに所定値以上が力が作用してタッセルが房掛けから外れる動作を示す要部斜視図である。
【図２】そのタッセルが房掛けから外れる動作を示す要部平面図である。
【図３】本発明第１実施形態の接続具を介して房掛けに接続されたタッセルに所定値以上の力が作用してタッセルが房掛けから外れる動作を示す要部斜視図である。
【図４】そのタッセルが房掛けから外れる動作を示す要部平面図である。
【図５】本発明第２実施形態の接続具を介して房掛けに接続されたタッセルに所定値以上の力が作用してタッセルが房掛けから外れる動作を示す要部斜視図である。
【図６】そのタッセルが房掛けから外れる動作を示す要部平面図である。
【図７】本発明第３実施形態の接続具を介して房掛けに接続されたタッセルに所定値以上の力が作用してタッセルが房掛けから外れる動作を示す要部平面図である。
【図８】その接続具の斜視図である。
【図９】本発明第４実施形態の接続具を介して房掛けに接続されたタッセルに所定値以上の力が作用してタッセルが房掛けから外れる動作を示す要部平面図である。
【図１０】その接続具の要部斜視図である。
【図１１】本発明第５実施形態の接続具を介して房掛けに接続されたタッセルに所定値以上の力が作用してタッセルが房掛けから外れる動作を示す要部斜視図である。
【図１２】そのタッセルが房掛けから外れる動作を示す要部断面図である。
【図１３】本発明第６実施形態の接続具を介して房掛けに接続されたタッセルに所定値以上の力が作用してタッセルが房掛けから外れる動作を示す要部斜視図である。
【図１４】そのタッセルが房掛けから外れる動作を示す要部断面図である。
【図１５】その接続具の分解斜視図である。
【図１６】その接続具を鉛直面で切断した斜視図である。
【発明を実施するための形態】
【００１５】
次に本発明を実施するための形態を参考の形態とともに図面に基づいて説明する。
【００１６】
＜参考の形態＞
図１及び図２に示すように、この参考の形態の接続具１０は、房掛け１１とタッセル１２とを分離可能に接続する接続本体１３を備える。房掛け１１は、壁又は窓枠に取付けられる取付部１１ａと、鉛直方向に延びて設けられた円柱状の柱状部１１ｂと、取付部１１ａと柱状部１１ｂとを連結する四角柱状の水平部１１ｃとを有する。この房掛け１１は、取付部１１ａを壁又は窓枠にビス等で取付けることにより、壁又は窓枠に固定される。またタッセル１２は、カーテンに巻き付けられる房部１２ａと、この房部１２ａの両端に設けられた幅広の一対のリング紐１２ｂとを有する。このタッセル１２によりカーテンが束ねられる。
【００１７】
一方、接続本体１３は、弾性変形可能な円形のリング状に形成される。そして接続本体１３は房掛け１１の柱状部１１ｂに遊嵌可能に構成され、接続本体１３にタッセル１２のリング紐１２ｂが遊挿可能に構成される。また接続本体１３は単一の切離し部１３ａを有する。この切離し部１３ａの両端には、接続本体１３の湾曲する線材の直径より大きな直径を有する一対の球体１３ｂ，１３ｂが接続本体１３と一体的にそれぞれ設けられる。接続本体１３に荷重が作用していないとき、一対の球体１３ｂ，１３ｂが当接した状態に保たれる。また接続本体１３に切離し部１３ａの両端を引き離す方向の荷重が作用すると、接続本体１３が弾性変形して切離し部１３ａの両端（一対の球体１３ｂ，１３ｂ）が離れ、上記荷重を取り除くと、接続本体１３の弾性力により互いに近付いて接続本体１３がリング状に復帰するように構成される。この参考の形態では、上記接続具１０にタッセル１２両端の一対のリング紐１２ｂをそれぞれ遊挿することにより、タッセル１２両端の一対のリング紐１２ｂが一対の接続具１０を介して房掛け１１にそれぞれ接続される。更に上記房掛け１１はプラスチックや金属等により形成され、タッセル１２は織布、ワイヤ、紐、チェーン、レザー等により形成され、接続具１０はプラスチックや金属等により形成される。なお、この参考の形態では、接続本体を弾性変形可能な円形のリング状に形成したが、接続本体を弾性変形可能な略Ｃ字状に形成してもよい。また、この参考の形態では、タッセル両端の一対のリング紐を一対の接続具を介して房掛けにそれぞれ接続したが、タッセル一端の一方のリング紐を一方の接続具を介して房掛けに接続し、タッセル他端の他方のリング紐を接続具を介さずに直接房掛けに接続してもよい。
【００１８】
このように構成された接続具１０の使用方法及び動作を説明する。先ずタッセル１２両端の一対のリング紐１２ｂを一対の接続具１０にそれぞれ遊挿する。次にタッセル１２の一方のリング紐１２ｂが遊挿された一方の接続具１０の接続本体１３を房掛け１１の柱状部１１ｂに遊嵌する（図１（ａ）及び図２（ａ））。更にタッセル１２の房部１２ａをカーテンに巻き付けた後に、タッセル１２の他方のリング紐（図示せず）が遊挿された他方の接続具（図示せず）の接続本体を房掛け１１の柱状部１１ｂに遊嵌する。このときタッセル１２は比較的弛んだ状態でカーテンを束ねているため、子供や老人などにタッセル１２が絡みつく場合がある。この状態でタッセル１２を房掛け１１から引き離す方向の所定値以上の荷重（例えば、２ｋｇ以上の荷重）がタッセル１２に作用すると、一対の接続具１０のうちのいずれか一方又は双方の接続具、この参考の形態では、一方の接続具１０の切離し部１３ａの両端が房掛け１１の柱状部１１ｂの外周面又はタッセル１２のリング紐１２ｂの外周面に沿って互いに離れる方向に弾性変形する。このため、上記接続具１０がタッセル１２とともに房掛け１１から外れるか（図１（ｂ）及び図２（ｂ））、或いはタッセル１２が接続具１０から外れる。この結果、タッセル１２のリング状態を確実に解除できるので、子供や老人などをタッセル１２の絡みつきから速やかに解放できる。また接続具１０がタッセル１２とともに房掛け１１から外れるか、或いはタッセル１２が接続具１０から外れて、接続具１０が房掛け１１又はタッセル１２から離れると、接続具１０の接続本体１３の切離し部１３ａ両端が接続本体１３の弾性力により互いに近付いて、接続本体１３がリング状に復帰するので、接続具１３を何回でも繰返し使用できる。
【００１９】
＜第１の実施の形態＞
図３及び図４は本発明の第１の実施の形態を示す。図３及び図４において図１及び図２と同一符号は同一部品を示す。この実施の形態では、接続具２０の接続本体２３に紐遊挿部２４が一体的に設けられる。即ち、接続具２０は、弾性変形可能なリング状に形成されかつ単一の切離し部２３ａを有する接続本体２３と、一対の仕切り片２６，２６により接続本体２３から区画された紐遊挿部２４とを備えることにより、略８の字状に形成される。また一対の仕切り片２６，２６は互いに対向するように突設され、これらの仕切り片２６，２６の先端間には所定の隙間が形成される。更に紐遊挿部２４にタッセル１２のリング紐１２ｂが遊挿される。上記所定の隙間はタッセル１２のリング紐１２ｂの厚さと略同一に形成される。これによりタッセル１２のリング紐１２ｂが紐遊挿部２４から容易に抜けないようになっている。上記以外は参考の形態と同一に構成される。
【００２０】
このように構成された接続具２０の使用方法及び動作を説明する。先ずタッセル１２両端の一対のリング紐１２ｂを一対の接続具２０の紐遊挿部２４にそれぞれ遊挿する。次にタッセル１２の一方のリング紐１２ｂが遊挿された一方の接続具２０の接続本体２３を房掛け１１の柱状部１１ｂに遊嵌する（図３（ａ）及び図４（ａ））。更にタッセル１２の房部１２ａをカーテンに巻き付ける。この状態でタッセル１２の他方のリング紐（図示せず）が遊挿された他方の接続具（図示せず）の接続本体を房掛け１１の柱状部１１ｂに遊嵌する。このときタッセル１２は比較的弛んだ状態でカーテンを束ねているため、子供や老人などにタッセル１２が絡みつく場合がある。この状態でタッセル１２を房掛け１１から引き離す方向の所定値以上の荷重（例えば、２ｋｇ以上の荷重）がタッセル１２に作用すると、一対の接続具２０のうちのいずれか一方又は双方の接続具、この実施の形態では、一方の接続具２０の切離し部２３ａの両端が房掛け１１の柱状部１１ｂの外周面に沿って互いに離れる方向に弾性変形する。このため、上記接続具２０がタッセル１２とともに房掛け１１から外れる。この結果、タッセル１２のリング状態を確実に解除できるので、子供や老人などをタッセル１２の絡みつきから速やかに解放できる。また接続具２０がタッセル１２とともに房掛け１１から外れて、接続具２０が房掛け１１から離れると、接続具２０の接続本体２３の切離し部２３ａ両端が接続本体２３の弾性力により互いに近付いて、接続本体２３がリング状に復帰するので、接続具２０を何回でも繰返し使用できる。
【００２１】
＜第２の実施の形態＞
図５及び図６は本発明の第２の実施の形態を示す。図５及び図６において図１及び図２と同一符号は同一部品を示す。この実施の形態では、接続具３０の接続本体３３に紐遊挿部３４が一体的に設けられる。即ち、接続具３０は、弾性変形可能な略Ｃ字状に形成されかつ単一の切離し部３３ａを有する接続本体３３と、この接続本体３３より小さい略Ｃ字状に形成された紐遊挿部３４とを備えることにより、略Ｓ字状に形成される。また紐遊挿部３４にタッセル１２のリング紐１２ｂが遊挿される。更に紐遊挿部３４の小さい略Ｃ字状の隙間は、タッセル１２のリング紐１２ｂの厚さと略同一に形成される。これによりタッセル１２のリング紐１２ｂが紐遊挿部３４から容易に抜けないようになっている。上記以外は参考の形態と同一に構成される。
【００２２】
このように構成された接続具３０では、接続具３０を金属線材で作製したときに、第１の実施の形態の接続具より容易に作製できる。上記以外の動作は、第１の実施の形態の動作と略同様であるので、繰返しの説明を省略する。
【００２３】
＜第３の実施の形態＞
図７及び図８は本発明の第３の実施の形態を示す。図７及び図８において図１及び図２と同一符号は同一部品を示す。この実施の形態では、接続具４０の接続本体４３に紐遊挿部４４が一体的に設けられる。即ち、接続具４０は、弾性変形可能な略ε字状に形成されかつ単一の切離し部４３ａを有する接続本体４３と、この接続本体４３の切離し部４３ａとは反対方向に所定の間隔をあけて接続本体４３に突設された略Ｃ字状の一対の紐遊挿部４４，４４と、接続本体４３のうち略ε字状の中央部に接続本体４３と一体的に突設された回動軸４６と、回動軸４６を回動可能に保持しかつ一部が扇形に欠けた円板状の案内ケース４７とを備える。上記接続本体４３は、円弧状の一対の腕部４３ｂ，４３ｂと、一対の腕部４３ｂ，４３ｂの基端と回動軸４６とを連結する弾性変形可能な一対の連結部４３ｃ，４３ｃと、一対の腕部４３ｂ，４３ｂ先端の切離し部４３ａ両端にそれぞれ設けられた一対の球体４３ｄ，４３ｄとを有する。この接続本体４３に荷重が作用していないとき、切離し部４３ａの両端の間隔、即ち一対の球体４３ｄ，４３ｄの間隔は房掛け１１の柱状部１１ｂの直径より小さく形成される。また一対の紐遊挿部４４，４４は、一対の腕部４３ｂ，４３ｂの基端から腕部４３ｂの厚さ方向において上側にずらした状態で切離し部４３ａとは反対方向に突設される。更に案内ケース４７の外周面には接続本体４３の一対の腕部４３ｂ，４３ｂの内周面を摺動可能に保持する凹溝４７ａが形成される。一方、タッセル４２は、この実施の形態では、カーテンに巻き付けられる房部（図示せず）と、この房部の両端に設けられた細い円柱状の一対のリング紐４２ｂとを有する。また一対の連結部４３ｃ，４３ｃは案内ケース４７の上面を摺動可能に構成され、一対の紐遊挿部４４，４４にタッセル４２両端のリング紐４２ｂがそれぞれ遊挿される。更に略Ｃ字状の紐遊挿部４４の隙間は、タッセル４２のリング紐４２ｂの太さと略同一に形成される。これによりタッセル４２のリング紐４２ｂが紐遊挿部４４から容易に抜けないようになっている。上記以外は参考の形態と同一に構成される。
【００２４】
このように構成された接続具４０の使用方法及び動作を説明する。先ずタッセル４２の一方のリング紐４２ｂを一方の接続具４０の一対の紐遊挿部４４，４４にそれぞれ遊挿し、タッセル４２の他方のリング紐（図示せず）を他方の接続具（図示せず）の一対の紐遊挿部にそれぞれ遊挿する。次にタッセル４２の一方のリング紐４２ｂが遊挿された一方の接続具４０の接続本体４３を房掛け１１の柱状部１１ｂに遊嵌する（図７（ａ））。更にタッセルの房部をカーテンに巻き付ける。この状態でタッセル４２の他方のリング紐（図示せず）が遊挿された他方の接続具（図示せず）の接続本体を房掛け１１の柱状部１１ｂに遊嵌する。このときタッセル４２は比較的弛んだ状態でカーテンを束ねているため、子供や老人などにタッセル４２が絡みつく場合がある。この状態でタッセル４２を房掛け１１から引き離す方向の所定値以上の荷重（例えば、２ｋｇ以上の荷重）がタッセル４２に作用すると、一対の接続具４０のうちいずれか一方又は双方の接続具、この実施の形態では、一方の接続具４０の一対の連結部４３ｃ，４３ｃが弾性変形して、一対の紐遊挿部４４，４４が互いに近付くので、切離し部４３ａの両端が房掛け１１の柱状部１１ｂの外周面に沿って互いに離れる。このため、接続具４０がタッセル４２とともに房掛け１１から外れる（図７（ｂ）及び図７（ｃ））。この結果、タッセル４２のリング状態を確実に解除できるので、子供や老人などをタッセル４２の絡みつきから速やかに解放できる。また接続具４０がタッセル４２とともに房掛け１１から外れて、接続具４０が房掛け１１から離れると、接続具４０の接続本体４３の切離し部４３ａ両端が、接続本体４３の弾性力、具体的には一対の連結部４３ｃ、４３ｃの弾性力により互いに近付いて、接続本体４３が略ε字状に復帰するので、接続具４０を何回でも繰返し使用できる。
【００２５】
＜第４の実施の形態＞
図９及び図１０は本発明の第４の実施の形態を示す。図９及び図１０において図１及び図２と同一符号は同一部品を示す。この実施の形態では、接続具５０の接続本体５３に紐遊挿部５４が一体的に設けられる。即ち、接続具５０は、内径が房掛け１１の柱状部１１ｂの直径より大きい弾性変形可能な略Ｃ字状に形成されかつ単一の切離し部５３ａを有する接続本体５３と、連結部材５６を介して接続本体５３に連結された紐遊挿部５４とを備えることにより、略８の字状に形成される。この紐遊挿部５４は、幅の大きい略逆Ｃ字状に形成された基部５４ａと、この基部５４ａと一体的に設けられ基部５４ａの一端から突設された幅の小さい湾曲突片５４ｂと、湾曲突片５４ｂの先端に設けられたフック５４ｃとを有する。また基部５４ａの他端には、湾曲突片５４ｂ及びフック５４ｃが挿入されてフック５４ｃが縁に係止可能な矩形孔５４ｄが形成される。また切離し部５３ａ両端には一対の球体５３ｂ，５３ｂがそれぞれ設けられ、これらの球体５３ｂ，５３ｂの間隔は房掛け１１の柱状体１１ｂの直径より小さく形成される。更にタッセル４２のリング紐４２ｂが紐遊挿部５４に遊挿される。このタッセル４２は第３の実施の形態のタッセルと同一に構成され、それ以外は参考の形態と同一に構成される。
【００２６】
このように構成された接続具５０では、タッセル４２のリング紐４２ｂを紐遊挿部５４の基部５４ａに遊挿した後、矩形孔５４ｄに湾曲突片５４ｂ及びフック５４ｃを挿入して、フック５４ｃを矩形孔５４ｄの縁に係止することにより、タッセル４２のリング紐４２ｂが紐遊挿部５４から抜けるのを確実に防止できる。上記以外の動作は、第１の実施の形態の動作と略同様であるので、繰返しの説明を省略する。
【００２７】
＜第５の実施の形態＞
図１１及び図１２は本発明の第５の実施の形態を示す。図１１及び図１２において図１及び図２と同一符号は同一部品を示す。この実施の形態では、接続具６０の接続本体６３に紐遊挿部６４が一体的に設けられる。即ち、接続具６０は、弾性変形可能な略四角形のリング状に形成されかつ単一の切離し部６３ａを有する接続本体６３と、切離し部６３ａから離れる方向に延びかつ互いに間隔をあけて突設された一対の紐遊挿部６４，６４とを備える。接続本体６３は、基端が回動軸６３ｂを中心に回動する一対の腕部６３ｃ，６３ｃを有し、これらの腕部６３ｃ，６３ｃの先端に上記単一の切離し部６３ａが設けられる。また一対の紐遊挿部６４，６４の先端にはリング紐４２ｂを遊挿可能な略Ｔ字状の凹溝６４ａが形成される。更に一対の紐遊挿部６４，６４の間には圧縮コイルばね６６が介装され、このばね６６の弾性力に抗して一対の紐遊挿部６４，６４を互いに近付けると、接続本体６３の切離し部６３ａの両端が離れて接続本体６３を房掛け１１の水平部１１ｃに遊嵌可能に構成される。上記タッセル４２は第３の実施の形態のタッセルと同一に構成され、それ以外は参考の形態と同一に構成される。
【００２８】
このように構成された接続具では、接続本体６３を房掛け１１の水平部１１ｃに遊嵌することを除いて、使用方法及び動作は、第３の実施の形態と略同様であるので、繰返しの説明を省略する。
【００２９】
＜第６の実施の形態＞
図１３〜図１６は本発明の第６の実施の形態を示す。図１３及び図１４において図１及び図２と同一符号は同一部品を示す。この実施の形態では、接続具７０の接続本体７３に紐遊挿部７４が一体的に設けられる。即ち、接続具７０は、弾性変形可能な略Ｃ字状に形成されかつ単一の切離し部７３ａを有する接続本体７３と、切離し部７３ａから離れる方向に突設されかつ先端部が側面視で重なるように屈曲する一対の紐遊挿部７４，７４と、接続本体７３と紐遊挿部７４とを回動可能に連結するケース７６とを備える。タッセル４２のリング紐４２ｂは一対の紐遊挿部７４，７４に遊挿される。このタッセル４２は第３の実施の形態のタッセルと同様に構成される。一方、ケース７６は、収容凹部７７ａが形成された箱状のアウタケース７７と、このアウタケース７７の収容凹部７７ａに収容され外周面の略半分が露出するインナケース７８とを有する。このケース７６は、アウタケース７７にインナケース７８を収容した状態で両端が閉止された円筒状に形成され、アウタケース７７内でインナケース７８が回動するように構成される。また接続本体７３は、基端がアウタケース７７及びインナケース７８の外周面にそれぞれ突設された一対の腕部７３ｂ，７３ｂと、これらの腕部７３ｂ，７３ｂの先端にそれぞれ設けられた一対の円柱体７３ｃ，７３ｃとを有し、一対の腕部７３ｂ，７３ｂの先端、即ち一対の円柱体７３ｃ，７３ｃの間に上記単一の切離し部７３ａが設けられる。更に一対の紐遊挿部７４，７４のうち一方の紐遊挿部７４はアウタケース７７の外周面に一方の腕部７３ｂとは反対方向に突設され、他方の紐遊挿部７４はインナケース７７の外周面に他方の腕部７３ｂとは反対方向に突設される。
【００３０】
一方、ケース７６内には、接続本体７３の構成部品の一部として機能する荷重調整装置７９が内蔵される（図１５及び図１６）。この荷重調整装置７９は、小径の圧縮コイルばね７９ａと、大径の捩りコイルばね７９ｂと、圧縮コイルばね７９ａと捩りコイルばね７９ｂの間に介装された調整ロータ７９ｃとを有する。アウタケース７７は、円筒をその中心軸を含む平面で切断した半割外筒７７ｂと、この半割外筒７７ｂと一体的に設けられ半割外筒７７ｂの両端をそれぞれ閉止する一対の円板７７ｃ，７７ｄとからなる。またインナケース７８は、円筒をその中心軸を含む平面で切断した半割外筒７８ａと、この半割外筒７８ａと一体的に設けられ半割外筒７８ａより僅かに小径の中間筒７８ｂと、中間筒７８ｂと一体的に設けられ中間筒７８ｂの一端を閉止する蓋体８ｃと、蓋体７８ｃと一体的に設けられ中間筒７８ｂ内に位置する小径の内筒７８ｄと、蓋体７８ｃの外面であって蓋体７８ｃ中心に突設された軸部７８ｅとからなる。上記圧縮コイルばね７９ａはインナケース７８の内筒７８ｄに収容され、捩りコイルばね７９ｂはインナケース７８の中間筒７８ｂと内筒７８ｄとの間に収容される。更に調整ロータ７９ｃは、圧縮コイルばね７９ａを収容するとともにインナケース７８の内筒７８ｄに収容されかつ内筒７８ｄより短く形成されてインナケース７８に対して円周方向に回動可能であって軸方向に摺動可能な円筒体７９ｄと、この円筒体７９ｄと一体的に設けられ円筒体７９ｄの端面に位置する大径のフランジ７９ｅと、このフランジ７９ｅの両面のうち円筒体７９ｄとは反対側の面のフランジ７９ｅ中心に突設された溝付き軸部７９ｆと、この溝付き軸部７９ｆと間隔をあけてフランジ７９ｅに突設され溝付き軸部７９ｆより小径の係止突起７９ｇと、フランジ７９ｅの外周面に形成された凹部７９ｈとからなる。
【００３１】
そしてインナケース７８の中間筒７８ｂと内筒７８ｄとの間に収容された捩りコイルばね７９ｂの一端はインナケース７８の蓋体７８ｃに係止し、捩りコイルばね７９ｂの他端は調整ロータ７９ｃのフランジ７９ｅの凹部７９ｈに係止する（図１６）。またアウタケース７７の一方の円板７７ｃには調整ロータ７９ｃの溝付き軸部７９ｆを回動可能に収容する通孔７７ｅが形成され、アウタケース７７の他方の円板７７ｄにはインナケース７８の蓋体７８ｃの軸部７８ｅを回動可能に収容する透孔７７ｆが形成され、上記溝付き軸部７９ｆ及び軸部７８ｅを中心にインナケース７８がアウタケース７７に対して相対的に回動するように構成される（図１５及び図１６）。またアウタケース７７の一方の円板７７ｃには通孔７７ｅを中心とする円周上に所定の間隔をあけて３つの被係止孔７７ｇがそれぞれ形成され、これらの被係止孔７７ｇに調整ロータ７９ｃの係止突起７９ｇが選択的に係止するようになっている。上記圧縮コイルばね７９ａは、調整ロータ７９ｃの溝付き軸部７９ｆをアウタケース７７の一方の円板７７ｃの通孔７７ｅに挿入した状態を保つとともに、調整ロータ７９ｃの係止突起７９ｇをアウタケース７７の３つの被係止孔７７ｇのいずれかに挿入した状態を保つように構成される。更に捩りコイルばね７９ｂは、一対の腕部７３ｂ，７３ｂを互いに近付ける方向に付勢するように構成される。そして一対の腕部７３ｂ，７３ｂ又は一対の紐遊挿部７４，７４に荷重が作用しない状態で、一対の腕部７３ｂ，７３ｂ先端の間隔、即ち一対の円柱部７３ｃ，７３ｃの間隔は、房掛け１１の水平部１１ｃに遊嵌された接続本体７３が水平部１１ｃから離脱しない間隔に設定される。上記以外は参考の形態と同一に構成される。
【００３２】
このように構成された接続具７０の使用方法及び動作を説明する。先ずタッセル４２両端の一対のリング紐４２ｂを一対の接続具７０の紐遊挿部７４にそれぞれ遊挿する。次に一対の紐遊挿部７４，７４を把持してこれらの紐操作部７４，７４の基端を捩りコイルばね７９ｂの弾性力に抗して互いに近付け、接続本体７３の一対の腕部７３ｂ，７３ｂ先端の間隔、即ち一対の円柱体７３ｃ，７３ｃの間隔を房掛け１１の水平部１１ｃの直径より大きくして、接続本体７３を房掛け１１の水平部１１ｃに遊嵌する（図１３（ａ）及び図１４（ａ））。更にタッセル４２の房部をカーテンに巻き付け、この状態でタッセル４２の他方のリング紐（図示せず）が遊挿された他方の接続具（図示せず）の接続本体を房掛け１１の水平部１１ｃに遊嵌する。この状態でタッセル４２を房掛け１１から引き離す方向の所定値以上の荷重（例えば、２ｋｇ以上の荷重）がタッセル４２に作用すると、一対の接続具７０のうちのいずれか一方又は双方の接続具、この実施の形態では、一方の接続具７０の切離し部７３ａの両端が房掛け１１の水平部１１ｃの外周面に沿って互いに離れる方向に弾性変形する。このため、接続具７０がタッセル４２とともに房掛け１１から外れる（図１３（ｂ）及び図１４（ｂ））。この結果、タッセル４２のリング状態を確実に解除できるので、子供や老人などをタッセル４２の絡みつきから速やかに解放できる。また接続具７０がタッセル４２とともに房掛け１１から外れて、接続具７０が房掛け１１から離れると、接続本体７３の切離し部７３ａの両端が、接続本体７３の弾性力、具体的には捩りコイルばね７９ｂの弾性力により互いに近付いて、接続本体７３が略Ｃ字状に復帰するので、接続具７０を何回でも繰返し使用できる。
【００３３】
次に接続本体７３の切離し部７３ａの両端、即ち一対の腕部７３ｂ，７３ｂ先端の一対の円柱体７３ｃ，７３ｃの間隔を広げる弾性力を調整する方法を説明する。先ず溝付き軸部７９ｆの溝にマイナスドライバ（図示せず）を挿入して調整ロータ７９ｃをケース７６内に押込むと、調整ロータ７９ｃの溝付き軸部７９ｆがアウタケース７７の一方の円板７７ｃの通孔７７ｅから離脱するとともに、調整ロータ７９ｃの係止突起７９ｇがアウタケース７７の被係止孔７７ｇから離脱する。これにより調整ロータ７９ｃをアウタケース７７に対して相対的に回転できるようになる。次にマイナスドライバにより調整ロータ７９ｃを回転させて、係止突起７９ｇが３つの被係止孔７７ｇのうちの所望の被係止孔７７ｇに対向したとき、マイナスドライバによる調整ロータ７９ｃの押込み力を解除すると、溝付き軸部７９ｆがアウタケース７７の一方の円板７７ｃの通孔７７ｅに挿入されるともに、係止突起７９ｆが所望の被係止孔７７ｇに挿入される。これにより接続本体７３の切離し部７３ａの両端、即ち一対の腕部７３ｂ，７３ｂ先端の一対の円柱体７３ｃ，７３ｃの間隔を広げる弾性力を調整できるので、接続具７０の接続本体７３を房掛け１１の水平部１１ｃに遊嵌した状態でタッセル４２を房掛け１１から引き離す方向の所定値以上の荷重を例えば、２〜６ｋｇの範囲で調整できる。
【符号の説明】
【００３４】
２０，３０，４０，５０，６０，７０  接続具
１１  房掛け
１２，４２  タッセル
１２ｂ，４２ｂ  リング紐
２３，３３，４３，５３，６３，７３  接続本体
２３ａ，３３ａ，４３ａ，５３ａ，６３ａ，７３ａ  切離し部
２４，３４，４４，５４，６４，７４  紐遊挿部
７９  荷重調整装置
【図１】
2018164745.tif 000003
【図２】
2018164745.tif 000004
【図３】
2018164745.tif 000005
【図４】
2018164745.tif 000006
【図５】
2018164745.tif 000007
【図６】
2018164745.tif 000008
【図７】
2018164745.tif 000009
【図８】
2018164745.tif 000010
【図９】
2018164745.tif 000011
【図１０】
2018164745.tif 000012
【図１１】
2018164745.tif 000013
【図１２】
2018164745.tif 000014
【図１３】
2018164745.tif 000015
【図１４】
2018164745.tif 000016
【図１５】
2018164745.tif 000017
【図１６】
2018164745.tif 000018